(57)【要約】 【課題】  クロック信号が停止した状態でノイズ画像が表示されてしまうことを防止することができる画像表示装置を提供する。【解決手段】  液晶表示素子２５を制御する画像出力部２４へのクロック信号の供給が停止したとき、表示制御部２８はナビゲーション部３０からの画像ミュート信号に応答して、バックライト制御部２７にバックライト２６の輝度を低下させる指令を出力し、バックライト２６の輝度を画像乱れが認識されない程度に低下させる。【選択図】      図３
2009288730.tif 000002
【特許請求の範囲】
【請求項１】
画像信号を、クロック信号に同期して前記クロック信号とともに出力し、かつ画像を黒画像に変更するための画像ミュート信号を出力する画像信号源と、
前記画像信号源から入力した画像信号を、前記クロック信号に同期させて表示制御信号とともに出力する画像出力部と、
画像出力部からの画像信号および表示制御信号に応答して駆動される液晶表示素子と、
液晶表示素子に背後から光を照射するバックライトと、
バックライトの輝度を制御するバックライト制御部と、
画像信号源から画像ミュート信号を入力したとき、バックライト制御部に輝度を低下させるためのバックライト制御信号を出力する表示制御部とを含むことを特徴とする画像表示装置。
【請求項２】
前記表示制御部は、バックライトのオン時間Ｔ１とオフ時間Ｔ２との比Ｔ１／Ｔ２を、表示状態よりも低い値に低下させるバックライト制御信号を出力することを特徴とする請求項１に記載の画像表示装置。
【請求項３】
前記表示制御部は、前記バックライト制御信号として、イネーブル信号を出力することを特徴とする請求項１に記載の画像表示装置。
【発明の詳細な説明】
【技術分野】
【０００１】
本発明は、クロック信号の停止に起因するノイズ画像が表示されてしまうことを回避することができる画像表示装置に関する。
【背景技術】
【０００２】
図１は従来技術の画像表示装置１の概略的構成を示すブロック図である。たとえば、車両に搭載されるマルチビュー表示装置とも呼ばれる画像表示装置１は、道路情報およびＧＰＳ受信情報を、地図情報およびルート案内画像とともに出力するナビゲーション部２と、車両の前後を撮像するカメラからの画像信号、ラジオ放送波を受信するラジオ受信部、テレビ放送波を受信するＴＶ受信部、ＣＤまたはＤＶＤに記録された音楽および画像を再生するＣＤ／ＤＶＤ再生部などを統括的に制御する主制御部３と、主制御部３からの画像信号を表示する表示部４とを備える。
【０００３】
前記表示部４は、前記ナビゲーション部２からアンプ５を介して入力した画像信号を、水晶発振子６からのクロック信号ＣＬＫに同期して動作する画像出力部７によって、彩度補正、色相補正、コントラスト補正およびガンマ補正などを行った後、液晶表示パネル８の駆動信号および画像信号を生成し、前記液晶表示パネル８に画像を表示するように構成される。
【０００４】
前記画像出力部７は、ＡＳＩＣ（Application Specific Integration Circuit）によって実現される。また、前記液晶表示パネル８は、液晶表示素子と、液晶表示素子に背後から光を照射するバックライトとを有する。
【０００５】
前記画像出力部７は、水晶発振子６からクロック信号を入力して動作する。この場合、画像出力部７は、電源が投入されると、正常動作を行い、クロック信号ＣＬＫによって生成した水平同期信号ＨＳＹおよび垂直同期信号ＶＳＹをナビゲーション部２へ送信することによって、液晶表示素子にマトリクス状に設けられるスイッチング素子のオン・オフ動作と画像の表示動作とのタイミングを調整している。
【０００６】
このように表示部４は、クロック信号ＣＬＫをナビゲーション部２から取り込めない状況であっても、画像出力部７が動作可能であるため、液晶表示パネル８に表示される画像に問題が生じることはないが、画像出力部７が外部からのクロック信号に同期して動作する構成である場合、すなわち表示部４の外部で生成させるクロック信号ＣＬＫを用いる場合には、クロック信号ＣＬＫの画像出力部７への供給が一瞬であっても停止すると、停止している期間は、画像出力部７は動作することができない状態になってしまう。そのため、液晶表示パネル８に正常に画像が表示されず、白画像に縦線などが入った異常画像が表示されてしまい、画像の乱れが発生するという問題が生じる。
【０００７】
また、前記画像表示装置１は、画像が安定していないときに画像のちらつきや乱れを防ぐために、ナビゲーション部２から画像出力部７へ画像ミュート信号Ｖ−ＭＵＴＥを出力し、画像出力部７に黒い画像を出力させることによって、液晶表示パネル８に黒画像を表示させる。つまり、この従来技術では、画像が安定していないときに画像ミュート信号Ｖ−ＭＵＴＥによって制御タイミングが送られ、直接画像出力部７に黒画像を表示させ、画像の乱れが表示されないように構成されている。
【０００８】
図２は他の従来技術の画像表示装置１ａの概略的構成を示すブロック図である。この従来技術の画像表示装置１ａにおいて、ナビゲーション部２は、水晶発振子からのクロック信号に同期して動作し、同期信号、画像信号および画像ミュート信号Ｖ−ＭＵＴＥを出力するナビゲーション制御部１０と、ナビゲーション制御部１０から低電圧差動伝送(Low
Voltage Differential Signaling；略称ＬＶＤＳ)トランシーバ１１とが設けられる。ＬＶＤＳトランシーバ１１は、差動同期信号と、同期信号および画像信号を複合した差動画像信号とを出力する。
【０００９】
表示部４は、画像出力部７と、液晶表示パネル８と、前記ＬＶＤＳトランシーバ１１からの差動同期信号と差動画像信号とを入力し、画像出力部７にクロック信号と画像信号とを出力するＬＶＤＳレシーバ１２と、画像出力部７に制御タイミング信号を出力し、画像出力部７にシリアル通信によって黒画像信号を出力させる表示制御部１３とを有する。前記表示制御部１３は、マイクロコンピュータによって実現される。
【００１０】
図２の従来技術では、ナビゲーション制御部１０のクロック信号が停止している場合、表示制御部１３が画像出力部７に黒画像信号を表示させようとしても、画像出力部７が動作しないため、黒信号を出力させることができない。このようなクロック信号の停止は、ローディング画面からオープニング画面への移行時にナビゲーション制御部１０が必ずリセットするため、そのリセット期間はクロック信号の供給が停止してしまうことに起因している。
【００１１】
さらに他の従来技術として、たとえば特許文献１には、チャンネルの切換え時などに、コントローラから画像ミュート信号Ｖ−ＭＵＴＥが出力されると、液晶表示装置のバックライトを消灯する画像表示装置が提案されている。
【００１２】
さらに他の従来技術として、たとえば特許文献２には、ナビゲーション画面とテレビ画面との切り換えなどによるノイズ画像の発生を防止するために、液晶表示装置のバックライトを消灯する画像表示装置が提案されている。
【００１３】
【特許文献１】特開平６−１７８２４０号公報
【特許文献２】特開２００１−３１２２５６号公報
【発明の開示】
【発明が解決しようとする課題】
【００１４】
特許文献１，２の従来技術では、画面切換え時に画面にノイズが出ないように液晶表示装置のバックライトを消灯するように構成されるが、バックライトの消灯はクロック信号に同期して動作する制御部からのバックライトのオフ指令に応答するものであるので、電源オフ時などのクロック信号が停止した状態では、バックライトを消灯することができず、クロック信号が停止した状態でノイズ画像の表示を回避することができないという問題がある。
【００１５】
本発明の目的は、クロック信号が停止した状態でノイズ画像が表示されてしまうことを防止することができる画像表示装置を提供することである。
【課題を解決するための手段】
【００１６】
本発明（１）は、画像信号を、クロック信号に同期して前記クロック信号とともに出力し、かつ画像を黒画像に変更するための画像ミュート信号を出力する画像信号源と、
前記画像信号源から入力した画像信号を、前記クロック信号に同期させて表示制御信号とともに出力する画像出力部と、
画像出力部からの画像信号および表示制御信号に応答して駆動される液晶表示素子と、
液晶表示素子に背後から光を照射するバックライトと、
バックライトの輝度を制御するバックライト制御部と、
画像信号源から画像ミュート信号を入力したとき、バックライト制御部に輝度を低下させるためのバックライト制御信号を出力する表示制御部とを含むことを特徴とする画像表示装置である。
【００１７】
本発明に従えば、画像信号源は、クロック信号に同期してクロック信号とともに画像信号を出力し、かつ画像を黒画像に変更するための画像ミュート信号を出力する。画像出力部は、画像信号源から入力した画像信号を、前記クロック信号に同期させて表示制御信号とともに出力する。液晶表示素子は、画像出力部からの画像信号および表示制御信号に応答して駆動され、バックライトによって背後から光が照射される。このようなバックライトの輝度は、バックライト制御部によって制御される。
【００１８】
表示制御部は、画像信号源から画像ミュート信号を入力すると、画像信号源がクロック信号を停止した状態であっても、バックライト制御部に輝度を低下させるためのバックライト制御信号を出力し、バックライトの輝度を低下させて、ノイズ画像が視認されないように、ノイズ画像が表示されてしまうことが防止される。
【発明の効果】
【００１９】
本発明によれば、画像ミュート信号に応答してバックライトの輝度を低下させることができるので、画像信号源のクロック信号が停止した状態であっても、ノイズ画像が表示されてしまうことを防止することができる。
【発明を実施するための最良の形態】
【００２０】
図３は本発明の実施の一形態の画像表示装置２０の概略的構成を示すブロック図である。本実施の形態の画像表示装置２０は、たとえば車両に搭載されるマルチビュー表示装置とも呼ばれる画像表示装置であって、道路情報およびＧＰＳ受信情報を、地図情報およびルート案内画像とともに出力する画像信号源としてのナビゲーション部２１と、車両の前後を撮像するカメラからの画像信号、ラジオ放送波を受信するラジオ受信部、テレビ放送波を受信するＴＶ受信部、ＣＤまたはＤＶＤに記録された音楽および画像を再生するＣＤ／ＤＶＤ再生部などを統括的に制御する主制御部２２と、主制御部２２からの画像信号を表示する表示部２３とを含む。
【００２１】
ナビゲーション部２１は、画像信号をクロック信号ＣＬＫに同期して前記クロック信号ＣＬＫとともに出力し、かつ画像を黒画像に変更するための画像ミュート信号Ｖ−ＭＵＴＥを出力する。
【００２２】
表示部２３は、ナビゲーション部２１から入力した画像信号を、前記クロック信号ＣＬＫに同期させて表示制御信号とともに出力する画像出力部２４と、画像出力部２４からの画像信号および表示制御信号に応答して駆動される液晶表示素子２５と、液晶表示素子２５に背後から光を照射するバックライト２６と、バックライト２６の輝度を制御するバックライト制御部２７と、ナビゲーション部２１から画像ミュート信号Ｖ−ＭＵＴＥを入力したとき、バックライト制御部２７に輝度を低下させるためのバックライト制御信号を出力する表示制御部２８とを含む。
【００２３】
前記ナビゲーション部２１は、外部の水晶発振子からのクロック信号ＣＬＫに同期して動作し、同期信号、画像信号および画像ミュート信号Ｖ−ＭＵＴＥを出力するナビゲーション制御部３０と、ナビゲーション制御部３０から低電圧差動伝送(Low Voltage
Differential signaling；略称ＬＶＤＳ)トランシーバ３１とを有する。ＬＶＤＳトランシーバ３１は、差動同期信号と、同期信号および画像信号を複合した差動画像信号とを出力する。このようなナビゲーション部２１は、ＶＩＣＳ（Vehicle Information and
Communication System）情報受信部が受信した道路情報およびＧＰＳ情報受信部が受信した地理情報に基づいて地図およびルート案内情報を出力するように構成される。
【００２４】
前記液晶表示素子２５とバックライト２６とは、液晶表示パネル３３を構成する。表示部２３は、画像出力部２４と、液晶表示パネル３３と、ＬＶＤＳトランシーバ３１からの差動同期信号と差動画像信号とを入力し、画像出力部２４にクロック信号ＣＬＫと画像信号とを出力するＬＶＤＳレシーバ３４と、画像出力部２４に制御タイミング信号を出力し、画像出力部２４にシリアル通信によって黒画像信号を出力させる前記表示制御部２８とを有する。前記表示制御部２８は、マイクロコンピュータによって実現される。
【００２５】
前記ナビゲーション部２１は、車両の前方および後方など撮像するカメラ、アンテナによってテレビ放送波を受信するテレビ受信装置、ＣＤおよびＤＶＤに記憶される音楽情報および画像を再生するＣＤ／ＤＶＤ再生装置、およびハードディスクに記録された画像および音楽情報を再生するハードディスク再生装置などを含んで構成されてもよい。
【００２６】
液晶表示素子２５は、バックライト２６側から順に、偏光板、スイッチング素子であるＴＦＴ（Thin Film Transistor）がマトリクス状に形成される個別電極側ガラス基板、液晶層、ＲＧＢの３原色の画素をもつカラーフィルタ基板、視差バリア層、共通電極側ガラス板、偏光板等が積層された構成であってもよい。このような液晶表示素子は、例えば、水平方向に８００画素、垂直方向に４８０画素が配列された表示画面を構成する。
【００２７】
画像出力部２４は、一例として述べると、複数のアナログ／デジタル変換器、輝度・色分離回路、ＲＧＢデコーダ、切換回路、解像度変換回路、書込み回路、読出し回路、出力タイミング制御回路、メモリＩＦ、ＶＲＡＭ、Ｃ／Ｂ調整回路、ＲＧＢ並替回路、ガンマテーブル、ガンマ補正回路、ＴＦＴタイミング制御回路などによって構成される。このような画像出力部２４は、例えば、ＡＳＩＣ（Application Specific Integrated 
Circuit）によって実現される。
【００２８】
図４は画像表示装置２０の表示部２３に設けられる表示制御部２８の動作を説明するためのフローチャートである。電源の投入などによって画像表示装置２０が起動されると（ステップｓ０）、表示制御部２８がナビゲーション部３０から画像ミュート信号Ｖ−ＭＵＴＥを入力すると（ステップｓ１）、表示制御部２８はバックライト制御部２７にバックライト２６の輝度を低下させるためのバックライト制御信号を出力し（ステップｓ２）、バックライト制御部２７は入力したバックライト制御信号に応答して、バックライト２６への電力供給を遮断し（ステップｓ３）、バックライト２６を消灯させ（ステップｓ４）、画面を黒画像表示させた状態を画像ミュート信号Ｖ−ＭＵＴＥ信号が解除されるまでのたとえば２００ｍｓ継続させた後、再びバックライト２６を点灯させて、黒画像表示を終了する（ステップｓ５）。
【００２９】
このように構成された画像表示装置２０によって、クロック停止時の画像乱れを防ぐことができる。すなわち、本来的には、画像ミュート信号Ｖ−ＭＵＴＥの制御タイミングによって、画像出力部２４に黒画像を表示させるのであるが、本発明では、表示制御部２８が画像ミュート信号Ｖ−ＭＵＴＥの制御タイミングを使用して、バックライト制御部２７に輝度を、たとえば画像乱れを認識不可能な０．５〜１．０ｃｄ／ｍ２程度に低下させるためのバックライト制御信号を出力し、バックライト２６を制御する。これによって、実際には画像は乱れているが、バックライト２６が点灯せずに、画面は黒画像表示となるため、ノイズ画像が表示されてしまうという不具合を防止することができる。
【００３０】
このような対策によって、クロック信号ＣＬＫの供給が停止したときの画像の乱れを防ぐことができる。たとえばクロック停止時に代えて、画像出力部にクロック信号ＣＬＫを供給するためにＰＬＬ回路などを追加しなければならない。これに比べて本発明は、前記表示制御部２８によって実行可能なソフトウェアプログラムの変更のみで実現可能であるため、回路の追加によるコストアップや、追加回路の検証、基板実装可能面積の減少等の問題が起こらず、簡単な方法で実現することができる。本発明は、Ｖ−ＭＵＴＥのように、クロック信号ＣＬＫが停止するタイミングさえ分かるような構成であれば、外部から取り込んだクロック信号ＣＬＫによって動作する構成すべてに適用することができる。
【００３１】
本発明の実施の他の形態では、前記表示制御部２８がバックライト２６のオン時間Ｔ１とオフ時間Ｔ２との比Ｔ１／Ｔ２、すなわちデューティ比を、表示状態よりも低い値に低下させるバックライト制御信号を出力することによって、バックライト２６の輝度を低下させてもよい。
【００３２】
本発明の実施のさらに他の形態では、前記表示制御部２８がバックライト制御信号として、イネーブル信号を出力することによって、バックライト２６をオフしてもよい。
【図面の簡単な説明】
【００３３】
【図１】従来技術の画像表示装置１の概略的構成を示すブロック図である。
【図２】他の従来技術の画像表示装置１ａの概略的構成を示すブロック図である。
【図３】本発明の実施の一形態の画像表示装置２０の概略的構成を示すブロック図である。
【図４】画像表示装置２０の表示部２３に設けられる表示制御部２８の動作を説明するためのフローチャートである。
【符号の説明】
【００３４】
２０  画像表示装置
２１  ナビゲーション部
２２  主制御部
２３  表示部
２４  画像出力部
２５  液晶表示素子
２６  バックライト
２７  バックライト制御部
２８  表示制御部
３０  ナビゲーション制御部
３１  ＬＶＤＳトランシーバ
３３  液晶表示パネル
３４  ＬＶＤＳレシーバ
【図１】
2009288730.tif 000003
【図２】
2009288730.tif 000004
【図３】
2009288730.tif 000005
【図４】
2009288730.tif 000006